(57)【要約】【課題】カートリッジが大型化することを抑制できながら、感光ドラムの効率的な配置を確保することができるカートリッジを提供すること。【解決手段】  プロセスカートリッジ１５は、ドラム本体８１およびドラムギア８３を備える感光ドラム２０と、本体ケーシング２に設けられる本体電極１３３に接触（作用）する給電ユニット４３とを備える。ドラム本体８１の左端部の周面には、第１非画像形成領域Ｔ１が形成され、ドラム本体８１の右端部の周面には、第２非画像形成領域Ｔ２が形成される。そして、ドラムギア８３を、ギア部９７がドラム本体８１の左端部に対して左側から隣接するように、ドラム本体８１の左端部に設けるとともに、給電ユニット４３を、ドラム本体８１の右端面よりも右方に向かって突出するように、ドラム本体８１の右端部の右前側に配置する。【選択図】図４
2014016487.tif 000002
【特許請求の範囲】
【請求項１】
軸線方向に延び、周面に感光層が形成される素管と、前記素管の軸線方向一方側端部である第１端部に設けられ、外部からの駆動力を受けるように構成されるギアとを備える感光ドラムと、
前記素管における前記第１端部と反対側の端部である第２端部に対して、前記素管の径方向外側に配置され、外部の部材に作用するように構成される作用部材と
を備え、
前記素管は、
前記第１端部の周面に形成される第１非画像形成領域と、
前記第２端部の周面に形成される第２非画像形成領域と、
前記第１非画像形成領域と前記第２非画像形成領域との間に形成される画像形成領域とを有し、
前記作用部材は、
前記第２端部よりも前記軸線方向外側に配置される突出部分を有し、
前記第１非画像形成領域の前記軸線方向長さが、前記第２非画像形成領域の前記軸線方向長さよりも長く形成され、
前記ギアの前記軸線方向長さが、前記突出部分の前記軸線方向長さよりも短く形成されていることを特徴とする、カートリッジ。
【請求項２】
前記第１非画像形成領域における前記感光層の厚みが、前記画像形成領域における前記感光層の厚みよりも薄く形成され、
前記第２非画像形成領域における前記感光層の厚みが、前記画像形成領域における前記感光層の厚みよりも厚く形成されていることを特徴とする、請求項１に記載のカートリッジ。
【請求項３】
前記感光ドラムを備える第１カートリッジと、
現像剤を収容可能、かつ、前記第１カートリッジに離脱可能に装着されるように構成される第２カートリッジと、
を備え、
前記第２カートリッジは、
前記素管に対して前記径方向外側から対向するように配置され、前記画像形成領域に現像剤を供給するように構成される現像剤担持体と、
前記第１端部および前記ギアのそれぞれに対して前記径方向外側から対向するように配置され、外部からの駆動力を前記現像剤担持体に伝達するように構成される駆動部材と、
前記作用部材とを備え、
前記作用部材は、
前記現像剤担持体に対して電気的に接続されるように構成される電極部材であることを特徴とする、請求項１または２に記載のカートリッジ。
【請求項４】
前記第２カートリッジが前記第１カートリッジに装着された状態において、前記画像形成領域の前記軸線方向中央部分と、前記現像剤担持体の前記軸線方向中央部分とが、前記径方向に沿って並ぶように配置されていることを特徴とする、請求項３に記載のカートリッジ。
【発明の詳細な説明】
【技術分野】
【０００１】
本発明は、電子写真方式が採用される画像形成装置に装着されるカートリッジに関する。
【背景技術】
【０００２】
従来より、カートリッジが着脱自在に装着される電子写真方式のプリンタが知られている。カートリッジは、左右方向に延びる感光ドラムと、転写ローラと、電極部材やギヤ機構部とを備えている。
【０００３】
このようなカートリッジとしては、例えば、感光ドラムおよび転写ローラを備えるドラムカートリッジと、現像ローラ、現像ローラ電極およびギヤ機構部を備え、ドラムカートリッジに着脱自在に装着される現像カートリッジとを備えるプロセスカートリッジが提案されている（例えば、特許文献１参照）。
【０００４】
そのようなプロセスカートリッジでは、感光ドラムの左端部に、駆動力を受けるためのドラム駆動ギヤと、転写ローラに駆動力を伝達するための転写ローラギヤとが設けられている。また、現像ローラ電極が、ドラム駆動ギヤおよび転写ローラギヤよりも、左方に向かって突出するように設けられるとともに、ギヤ機構部が、ドラム駆動ギヤおよび転写ローラギヤに対して前側に対向するように設けられている。
【０００５】
そして、そのようなプロセスカートリッジでは、プリンタに装着された状態において、プリンタから、現像ローラ電極を介して現像ローラにバイアスが印加されるとともに、ギヤ機構部を介して駆動力が現像ローラに入力される。
【先行技術文献】
【特許文献】
【０００６】
【特許文献１】特開２００６−７２２８５号公報
【発明の概要】
【発明が解決しようとする課題】
【０００７】
しかるに、感光ドラムは、一般に、プロセスカートリッジにおける左右方向略中央部分に配置されることが望まれている。
【０００８】
しかし、特許文献１に記載のプロセスカートリッジでは、ドラム駆動ギヤおよび転写ローラギヤが感光ドラムの左端部に設けられ、かつ、現像ローラ電極が、ドラム駆動ギヤおよび転写ローラギヤよりも、左方に向かって突出するように設けられている。
【０００９】
そのため、プロセスカートリッジにおける感光ドラムの左端部よりも左側の部分には、ドラム駆動ギヤ、転写ローラギヤおよび現像ローラ電極を設けるためのスペースを確保する必要があり、感光ドラムの右端部よりも右側の部分と比較して相対的に大きなスペースが確保される。
【００１０】
その結果、感光ドラムが、右側に詰めるように、プロセスカートリッジに設けられており、感光ドラムの効率的な配置を確保することが困難である。
【００１１】
一方、プロセスカートリッジにおける感光ドラムの右端部よりも右側の部分に、別途スペースを設ければ、感光ドラムを、プロセスカートリッジにおける左右方向略中央部分に配置することができるが、プロセスカートリッジが大型化するという不具合がある。
【００１２】
そこで、本発明の目的は、カートリッジが大型化することを抑制できながら、感光ドラムの効率的な配置を確保することができるカートリッジを提供することにある。
【課題を解決するための手段】
【００１３】
（１）上記した目的を達成するために、本発明のカートリッジは、軸線方向に延び、周面に感光層が形成される素管と、素管の軸線方向一方側端部である第１端部に設けられ、外部からの駆動力を受けるように構成されるギアとを備える感光ドラムと、素管における第１端部と反対側の端部である第２端部に対して、素管の径方向外側に配置され、外部の部材に作用するように構成される作用部材とを備えている。
【００１４】
また、素管は、第１端部の周面に形成される第１非画像形成領域と、第２端部の周面に形成される第２非画像形成領域と、第１非画像形成領域と第２非画像形成領域との間に形成される画像形成領域とを有している。
【００１５】
また、作用部材は、第２端部よりも軸線方向外側に配置される突出部分を有している。
【００１６】
また、第１非画像形成領域の軸線方向長さが、第２非画像形成領域の軸線方向長さよりも長く形成され、ギアの軸線方向長さが、突出部分の軸線方向長さよりも短く形成されている。
【００１７】
このような構成によれば、ギアが素管の第１端部に設けられ、作用部材の突出部分が第２端部よりも軸線方向外側に配置されるので、素管の第１端部に対して軸線方向外側に、ギアを設けるためのスペースが確保され、素管の第２端部に対して軸線方向外側に、突出部分を配置するためのスペースが確保される。
【００１８】
そのため、素管の軸線方向両端部のそれぞれに対して、軸線方向外側にスペースが確保され、素管の軸線方向一方側にのみスペースが確保される場合と比較して、素管の効率的な配置を確保できる。
【００１９】
また、素管の軸線方向一方側（第１端部側）において、第２非画像形成領域と比較して長い第１非画像形成領域と、突出部分と比較して短いギアとが配置され、素管の軸線方向他方側（第２端部側）において、第１非画像形成領域と比較して短い第２非画像形成領域と、ギアと比較して長い突出部分とが配置されている。
【００２０】
つまり、カートリッジの軸線方向一方側において、第１非画像形成領域およびギアを配置するためのスペースが確保され、カートリッジの軸線方向他方側において、第２非画像形成領域および突出部分を配置するためのスペースが確保されている。
【００２１】
そのため、カートリッジにおける軸線方向両側のそれぞれにおいて、スペースがバランスよく確保され、第１非画像形成領域と第２非画像形成領域との間に形成される画像形成領域の効率的な配置を確保できる。
【００２２】
従って、本発明のカートリッジによれば、カートリッジが大型化することを抑制できながら、感光ドラムの素管、とりわけ、画像形成領域の効率的な配置を確保することができる。
（２）また、第１非画像形成領域における感光層の厚みが、画像形成領域における感光層の厚みよりも薄く形成され、第２非画像形成領域における感光層の厚みが、画像形成領域における感光層の厚みよりも厚く形成されていてもよい。
【００２３】
このような構成によれば、第１非画像形成領域および第２非画像形成領域のそれぞれの感光層の厚みにより、素管の軸線方向端部が第１端部または第２端部のいずれに該当するか容易に判別できる。そのため、カートリッジの組み立て作業の円滑化を図ることができる。
（３）また、カートリッジは、感光ドラムを備える第１カートリッジと、現像剤を収容可能、かつ、第１カートリッジに離脱可能に装着されるように構成される第２カートリッジとを備えていてもよい。
【００２４】
この場合、第２カートリッジは、素管に対して径方向外側から対向するように配置され、画像形成領域に現像剤を供給するように構成される現像剤担持体と、第１端部およびギアのそれぞれに対して径方向外側から対向するように配置され、外部からの駆動力を現像剤担持体に伝達するように構成される駆動部材と、作用部材とを備えている。
【００２５】
また、作用部材は、現像剤担持体に対して電気的に接続されるように構成される電極部材であってもよい。
【００２６】
このような構成によれば、感光体が第１カートリッジに備えられ、現像剤が第２カートリッジに収容されているので、例えば、感光体が寿命を迎えた場合には、第１カートリッジのみを交換でき、現像剤の残量が所定値よりも少なくなった場合には、第２カートリッジのみを交換できる。
【００２７】
そのため、１つのカートリッジに、現像剤が収容されるとともに、感光体が備えられている場合と比較して、ランニングコストの低減を図ることができる。
【００２８】
また、第２カートリッジが、現像剤担持体と、駆動部材と、電極部材とを備えるので、画像形成動作時においては、駆動部材を介して現像剤担持体に駆動力を伝達することができ、かつ、電極部材を介して現像剤担持体にバイアスを印加することができる。
【００２９】
また、駆動部材が第１端部およびギアのそれぞれに対して径方向外側から対向するように配置されるので、第１端部（第１非画像形成領域）およびギアを配置するためのスペースに駆動部材を配置でき、そのスペースを有効に利用することができる。
【００３０】
そのため、現像剤担持体が、画像形成動作時において、画像形成領域に現像剤を確実に供給することができながら、カートリッジが大型化することを抑制できる。
【００３１】
従って、ランニングコストの低減を図ることができ、かつ、画像形成領域に現像剤を確実に供給することができながら、カートリッジの大型化を抑制できる。
（４）また、第２カートリッジが第１カートリッジに装着された状態において、画像形成領域の軸線方向中央部分と、現像剤担持体の軸線方向中央部分とが、径方向に沿って並ぶように配置されていてもよい。
【００３２】
このような構成によれば、画像形成領域の軸線方向中央部分と、現像剤担持体の軸線方向中央部分とが、径方向に沿って並ぶように配置されているので、現像剤担持体の効率的な配置を確保することができながら、画像形成領域に現像剤をより一層確実に供給できる。
【発明の効果】
【００３３】
本発明によれば、カートリッジが大型化することを抑制できながら、感光ドラム、とりわけ、画像形成領域の効率的な配置を確保することができる。
【図面の簡単な説明】
【００３４】
【図１】プリンタの一実施形態を示す中央断面図である。
【図２】図１に示すプロセスカートリッジを左上側から見た斜視図である。
【図３】図２に示すドラムカートリッジを左上側から見た分解斜視図である。
【図４】図２に示すプロセスカートリッジ（カバーフレームを除いた状態）の平面図である。
【図５】（ａ）は、図２に示すプロセスカートリッジの左側面図であり、（ｂ）は、図２に示すプロセスカートリッジの右側面図である。
【図６】図５（ａ）に示すプロセスカートリッジのＡ−Ａ断面図である。
【発明を実施するための形態】
【００３５】
１．プリンタ
図１に示すように、プリンタ１は、略ボックス形状の本体ケーシング２を備えている。
【００３６】
また、プリンタ１は、本体ケーシング２内において、用紙Ｓを給紙するための給紙部３と、給紙された用紙Ｓに画像を形成するための画像形成部４とを備えている。
【００３７】
なお、プリンタ１に関し、方向について言及する場合には、水平方向に載置した状態を基準とし、具体的には、図中の矢印方向を基準とする。
（１）本体ケーシング
本体ケーシング２には、プロセスカートリッジ１５（後述）を着脱するためのカートリッジ開口部５と、用紙Ｓを導入するための用紙開口部６とが形成されている。
【００３８】
カートリッジ開口部５は、本体ケーシング２の上端部において、上下方向に貫通形成されている。
【００３９】
用紙開口部６は、本体ケーシング２の前端部における下端部において、前後方向に貫通形成されている。
【００４０】
また、本体ケーシング２には、その上端部に、トップカバー７が設けられ、その前端部に、給紙カバー８が設けられている。
【００４１】
トップカバー７は、その後端部を支点として、カートリッジ開口部５を閉鎖する閉鎖位置と、カートリッジ開口部５を開放する開放位置とに揺動（移動）可能に設けられている（図１に示す二点鎖線参照）。
【００４２】
給紙カバー８は、その下端部を支点として、用紙開口部６を閉鎖する第１位置と、用紙開口部６を開放する第２位置とに揺動（移動）可能に設けられている（図１に示す二点鎖線参照）。
（２）給紙部
給紙部３は、本体ケーシング２の底部に設けられる用紙載置部９を備えている。
【００４３】
用紙載置部９は、用紙開口部６を介して、本体ケーシング２の外部と連通されている。
【００４４】
そして、用紙Ｓは、給紙カバー８が第２位置に配置された状態において、その前側部分が給紙カバー８の上面にスタックされるとともに、その後側部分が用紙開口部６を介して用紙載置部９内にスタックされる。
【００４５】
また、給紙部３は、用紙載置部９の後端部上側に配置されるピックアップローラ１１と、ピックアップローラ１１の後側に配置される給紙ローラ１２と、給紙ローラ１２の後下側に対向配置される給紙パッド１３と、給紙パッド１３の後端部から連続して上方に向かって延びる給紙パス１４とを備えている。
（３）画像形成部
画像形成部４は、カートリッジの一例としてのプロセスカートリッジ１５と、スキャナユニット１６と、定着ユニット１７とを備えている。
（３−１）プロセスカートリッジ
プロセスカートリッジ１５は、本体ケーシング２に対して着脱可能に構成され、給紙部３の後側部分の上側において、本体ケーシング２に装着されている。
【００４６】
プロセスカートリッジ１５は、第１カートリッジの一例としてのドラムカートリッジ１８と、第２カートリッジの一例としての現像カートリッジ１９とを備えている。
【００４７】
ドラムカートリッジ１８は、本体ケーシング２に対して着脱可能に構成されており、感光ドラム２０と、転写ローラ２１と、スコロトロン型帯電器２２とを備えている。
【００４８】
感光ドラム２０は、左右方向（軸線方向）に延びる略円筒形状に形成されており、ドラムカートリッジ１８の後側部分に設けられている。感光ドラム２０は、その中心軸線Ａ１（回転軸線）を回転中心として回転可能である。
【００４９】
転写ローラ２１は、左右方向に延びる略円柱形状に形成され、感光ドラム２０に対して後側から圧接されている。また、転写ローラ２１は、その中心軸線を回転中心として回転可能である。
【００５０】
詳しくは、転写ローラ２１は、その中心軸線が感光ドラム２０の中心軸線Ａ１よりも僅かに下側に位置するように、感光ドラム２０の後側に配置されている。なお、転写ローラ２１の下端縁は、感光ドラム２０の下端縁よりも上側に配置されている。具体的には、転写ローラ２１の中心軸線と感光ドラム２０の中心軸線Ａ１とを結ぶ仮想の線分（図示せず）と、前後方向に沿って水平に延びる仮想の直線（図示せず）とが形成する鋭角の角度は、約３°である。そのため、転写ローラ２１が感光ドラム２０に対して圧接される圧力（転写圧）には、転写ローラ２１の自重が影響しない。
【００５１】
スコロトロン型帯電器２２は、感光ドラム２０の前上側に間隔を隔てて対向配置されている。
【００５２】
詳しくは、スコロトロン型帯電器２２は、転写ローラ２１に対して、感光ドラム２０の周方向に間隔を隔てて配置されており、感光ドラム２０の中心軸線Ａ１と転写ローラ２１の中心軸線とを結ぶ仮想の線分（図示せず）と、感光ドラム２０の中心軸線Ａ１と帯電ワイヤ２３（後述）とを結ぶ仮想の線分（図示せず）とが形成する角の角度が約１２０°となるように配置されている。
【００５３】
また、スコロトロン型帯電器２２は、帯電ワイヤ２３と、グリッド２４とを備えている。
【００５４】
帯電ワイヤ２３は、左右方向に延びるように張設され、感光ドラム２０の前上側に間隔を隔てて対向配置されている。
【００５５】
グリッド２４は、前上側に向かって開放された側面視略Ｕ字形状に形成され、帯電ワイヤ２３を後下側から囲うように設けられている。
【００５６】
現像カートリッジ１９は、ドラムカートリッジ１８に着脱可能に装着されており、感光ドラム２０の前下側に配置されている。
【００５７】
また、現像カートリッジ１９は、略ボックス形状の現像フレーム２５を備えており、現像フレーム２５内には、トナー収容室２６と、現像室２７とが前後に並んで形成されている。トナー収容室２６と現像室２７とは、それらの容積がそれぞれ略同じに形成され、連通口２８により連通されている。
【００５８】
トナー収容室２６には、トナー（現像剤）が収容され、その前後上下方向略中央部分には、アジテータ２９が設けられている。つまり、アジテータ２９は、感光ドラム２０よりも下側に配置されている。
【００５９】
現像室２７には、その下壁の内面（上面）において、供給ローラ溝３０と、現像ローラ対向面３１と、ロアフィルム貼着面３２とが形成されている。
【００６０】
供給ローラ溝３０は、供給ローラ３３（後述）の周面に沿う略半円形状であって、後下方に向かって窪むように形成されている。
【００６１】
現像ローラ対向面３１は、現像ローラ３４（後述）の周面に沿う略円弧形状であって、供給ローラ溝３０の後端部から連続して、後上方に向かって延びるように形成されている。
【００６２】
ロアフィルム貼着面３２は、現像ローラ対向面３１の後端部から連続して後方に向かって延びるように形成されている。つまり、ロアフィルム貼着面３２は、現像ローラ対向面３１よりも上側に配置されている。
【００６３】
また、ロアフィルム貼着面３２は、感光ドラム２０の下側部分に対して上下方向に間隔を隔てて対向配置されており、上下方向に投影したときに、感光ドラム２０の中心軸線Ａ１と重なるように配置されている。
【００６４】
また、現像室２７には、供給ローラ３３と、現像剤担持体の一例としての現像ローラ３４と、層厚規制ブレード３５と、ロアフィルム３６とが設けられている。
【００６５】
供給ローラ３３は、左右方向に延びる略円柱形状に形成され、その下側部分が供給ローラ溝３０内に配置されるように、現像室２７の前側部分に設けられている。供給ローラ３３は、トナー収容室２６の後側に配置されており、上下方向においてトナー収容室２６と略同じ高さ（トナー収容室２６よりもわずかに上側）に配置されている。また、供給ローラ３３は、その中心軸線を回転中心として回転可能である。
【００６６】
現像ローラ３４は、左右方向に延びる略円柱形状に形成され、その下側部分における周面と現像ローラ対向面３１とが互いに間隔を隔てて対向するように、現像室２７の後側部分に設けられている。現像ローラ３４の左右方向長さは、供給ローラ３３の左右方向長さよりも長く形成されている。
【００６７】
また、現像ローラ３４は、供給ローラ３３に後上側から接触するとともに、その上側および後側部分が現像室２７から露出されるように設けられ、感光ドラム２０に対して前下側から接触している。つまり、現像ローラ３４は、供給ローラ３３の後上側に配置されるとともに、感光ドラム２０の前下側において、感光ドラム２０の中心軸線Ａ１よりも下側に配置されている。そして、供給ローラ３３の中心軸線、現像ローラ３４の中心軸線および感光ドラム２０の中心軸線Ａ１は、感光ドラム２０の径方向に沿う略同一直線上に位置されている。
【００６８】
また、現像ローラ３４は、スコロトロン型帯電器２２に対して、感光ドラム２０の周方向に間隔を隔てて配置されており、感光ドラム２０の中心軸線Ａ１と帯電ワイヤ２３とを結ぶ仮想の線分（図示せず）と、感光ドラム２０の中心軸線Ａ１と現像ローラ３４の中心軸線とを結ぶ仮想の線分（図示せず）とが形成する角の角度が約１２０°となるように配置されている。つまり、現像ローラ３４、スコロトロン型帯電器２２および転写ローラ２１のそれぞれは、感光ドラム２０の周方向において略等間隔を隔てて配置されている。また、現像ローラ３４は、その中心軸線を回転中心として回転可能である。
【００６９】
層厚規制ブレード３５は、その上端部が、現像室２７の上壁の後端部に固定され、その下端部が、現像ローラ３４に前側から接触されている。
【００７０】
ロアフィルム３６は、その後側部分がロアフィルム貼着面３２に固定され、その前端部が、現像ローラ対向面３１の上側において、現像ローラ３４の周面と接触されている。
（３−２）スキャナユニット
スキャナユニット１６は、プロセスカートリッジ１５の前側において、感光ドラム２０と前後方向に間隔を隔てて対向するように配置されている。
【００７１】
スキャナユニット１６は、感光ドラム２０に向けて、画像データに基づいて、レーザービームＬを出射し、感光ドラム２０の周面を露光する。
【００７２】
詳しくは、レーザービームＬは、スキャナユニット１６から後方に向かって出射され、感光ドラム２０の前端部における周面を露光する。つまり、感光ドラム２０が露光される露光点（感光ドラム２０の前端部における周面）は、感光ドラム２０の中心軸線Ａ１に対して、感光ドラム２０と転写ローラ２１とが接触するニップ部分の反対側に設定されている。
【００７３】
このとき、現像カートリッジ１９は、レーザービームＬの出射軌跡よりも下側に配置され、スコロトロン型帯電器２２は、レーザービームＬの出射軌跡よりも上側に配置されている。
【００７４】
なお、スキャナユニット１６と感光ドラム２０との間に対応する本体ケーシング２の内側面には、プロセスカートリッジ１５の着脱を案内するガイド部３７が設けられている。そして、プロセスカートリッジ１５が本体ケーシング２から離脱されるときには、プロセスカートリッジ１５がガイド部３７にガイドされることにより、ドラムカートリッジ１８に装着される現像カートリッジ１９が、レーザービームＬの出射軌跡を下側から上側に向かって通過する。
【００７５】
このとき、プロセスカートリッジ１５に設けられる各種ローラ（転写ローラ２１、供給ローラ３３および現像ローラ３４）も、レーザービームＬの出射軌跡を下側から上側に向かって通過する。
（３−３）定着ユニット
定着ユニット１７は、ドラムカートリッジ１８の後側部分の上側に配置されている。詳しくは、定着ユニット１７は、スコロトロン型帯電器２２の上側に配置される加熱ローラ３８と、加熱ローラ３８に対して後上側から圧接される加圧ローラ３９とを備えている。
【００７６】
つまり、加熱ローラ３８は、スコロトロン型帯電器２２のグリッド２４の上端部（開放側端部）近傍に配置されている。
（４）画像形成動作
現像カートリッジ１９のトナー収容室２６内のトナーは、アジテータ２９の回転により、連通口２８を介して、供給ローラ３３に供給され、さらに、現像ローラ３４に供給され、供給ローラ３３と現像ローラ３４との間で正極性に摩擦帯電される。
【００７７】
現像ローラ３４に供給されたトナーは、現像ローラ３４の回転に伴って、層厚規制ブレード３５によって厚さが規制され、一定厚さの薄層として現像ローラ３４の周面に担持される。
【００７８】
一方、感光ドラム２０の周面は、スコロトロン型帯電器２２によって一様に帯電された後、スキャナユニット１６によって露光される。これにより、感光ドラム２０の周面（詳しくは、ドラム本体８１（後述）の画像形成領域Ｔ３（後述、図４参照））には、画像データに基づく静電潜像が形成される。そして、現像ローラ３４に担持されるトナーが感光ドラム２０の周面（詳しくは、画像形成領域Ｔ３（後述、図４参照））上の静電潜像に供給されることにより、感光ドラム２０の周面（詳しくは、画像形成領域Ｔ３（後述、図４参照））上にトナー像（現像剤像）が担持される。
【００７９】
用紙載置部９にスタックされた用紙Ｓは、ピックアップローラ１１の回転により、給紙ローラ１２と給紙パッド１３との間に送られ、給紙ローラ１２の回転により１枚ずつ捌かれる。その後、捌かれた用紙Ｓは、給紙ローラ１２の回転により、給紙パス１４に搬送されて、所定のタイミングで１枚ずつ、画像形成部４（感光ドラム２０と転写ローラ２１との間）に給紙される。
【００８０】
そして、用紙Ｓは、感光ドラム２０と転写ローラ２１との間を、下側から上側に向かって搬送される。このとき、用紙Ｓに、トナー像が転写され、画像が形成される。
【００８１】
そして、用紙Ｓは、加熱ローラ３８と加圧ローラ３９との間を通過するときに加熱および加圧される。このとき、用紙Ｓには、画像が熱定着される。
【００８２】
その後、用紙Ｓは、排紙ローラ４０に向けて搬送され、排紙ローラ４０によって、本体ケーシング２の上面に形成された排紙トレイ４１上に排紙される。
【００８３】
このように用紙Ｓは、用紙載置部９から給紙され、感光ドラム２０と転写ローラ２１との間（ニップ部分）を通過し、次いで、加熱ローラ３８と加圧ローラ３９との間を通過した後、排紙トレイ４１上に排紙されるように、側面視略Ｃ字状の搬送パスを搬送される。
２．プロセスカートリッジ
プロセスカートリッジ１５は、上記し、図２に示すように、ドラムカートリッジ１８と、現像カートリッジ１９とを備えている。
（１）ドラムカートリッジ
ドラムカートリッジ１８は、ドラムフレーム５１を備えている。
【００８４】
なお、以下のドラムカートリッジ１８の説明において、方向について言及する場合には、感光ドラム２０が配置されている側をドラムカートリッジ１８の後側とし、スコロトロン型帯電器２２が配置されている側を上側とする。すなわち、ドラムカートリッジ１８に関する上下前後方向は、プリンタ１に関する上下前後方向と若干異なり、ドラムカートリッジ１８は、その後側がプリンタ１の後上側、その前側がプリンタ１の前下側となるように、プリンタ１に装着されている。
（１−１）ドラムフレーム
ドラムフレーム５１は、図３に示すように、ベースフレーム５２と、カバーフレーム５３とを備えている。
【００８５】
ベースフレーム５２は、上側が開放された平面視略矩形の有底枠形状に形成されている。ベースフレーム５２は、左右１対のベース側壁５４と、ベース下壁５５と、ベース後壁５７と、ベース前壁５６とを備えている。
【００８６】
１対のベース側壁５４は、左右方向に間隔を隔てて対向配置されている。
【００８７】
１対のベース側壁５４のそれぞれは、前後方向に長手の略平板形状に形成されている。ベース側壁５４は、その後側半分を構成する後側部分６０と、その前側半分を構成する前側部分６１とを一体的に備えている。
【００８８】
後側部分６０は、上下方向に延びる側面視略矩形状に形成されている。
【００８９】
また、後側部分６０には、ドラム軸挿通穴５８が形成されている。ドラム軸挿通穴５８は、後側部分６０の前後方向略中央部分において、側面視略円形状に貫通形成されている。ドラム軸挿通穴５８の内径は、感光ドラム２０のドラム軸８０（後述）の外径と略同径に形成されている。なお、両ベース側壁５４のドラム軸挿通穴５８は、左右方向に投影したときに互いに一致している。
【００９０】
前側部分６１は、後側部分６０の前端部における下端部から連続して、前方に向かって延びる側面視略矩形状に形成されている（図５（ａ）参照）。
【００９１】
ベース下壁５５は、両ベース側壁５４の下端部間に架設されるように、左右方向に長手の略平板形状に形成されている。なお、ベース下壁５５の後端部は、感光ドラム２０の下側に、感光ドラム２０と上下方向に間隔を隔てて配置されている（図１参照）。
【００９２】
ベース後壁５７は、ベース下壁５５の後端部の後側に間隔を隔てて配置され、両ベース側壁５４の後端部間に架設されるように、左右方向に長手の略平板形状に形成されている。なお、ベース後壁５７とベース下壁５５との間の開口領域が、図１に示すように、感光ドラム２０と転写ローラ２１との間に向かう用紙Ｓを通過させるための給紙開口７４として区画されている（図１参照）。
【００９３】
また、ベース後壁５７には、図３に示すように、転写ローラ支持部７０が設けられている。転写ローラ支持部７０は、ベース後壁５７から後方に向かって膨出するように設けられ、左右方向に延びる略部分円筒形状に形成されている。
【００９４】
転写ローラ支持部７０は、その左右方向両端部が閉鎖されるとともに、上側および前側が開放されている。転写ローラ支持部７０の左端部は、左側のベース側壁５４よりも左右方向内側（右側）に配置され、転写ローラ支持部７０の右端部は、右側のベース側壁５４よりも左右方向内側（左側）に配置されている。
【００９５】
また、ベース後壁５７には、ドラムギア露出開口７２が形成されている。
【００９６】
ドラムギア露出開口７２は、転写ローラ支持部７０の左端部と、左側のベース側壁５４との間において、背面視略矩形状に貫通形成されている。
【００９７】
ベース前壁５６は、ベース下壁５５の前端部から連続して上方に向かって延び、かつ、両ベース側壁５４の前端部間に架設されるように、左右方向に長手の略平板形状に形成されている。
【００９８】
そして、ベースフレーム５２のうち、転写ローラ支持部７０の前側において、両ベース側壁５４の後側部分６０の間の部分が、感光ドラム２０を支持するためのドラム支持部１０１として区画されている。
【００９９】
また、ベースフレーム５２のうち、ドラム支持部１０１よりも前側の部分（ベース下壁５５と、ベース前壁５６と、両ベース側壁５４の前側部分６１とによって区画される部分）が、現像カートリッジ１９が装着可能な現像カートリッジ装着部１０２として区画されている。
【０１００】
カバーフレーム５３は、ベースフレーム５２の後端部の上側に配置されている。カバーフレーム５３は、左右方向に延び、下側および前側が開放される略角筒形状に形成されている。また、カバーフレーム５３は、左右１対のカバー側壁９１と、カバー上壁９２と、カバー後壁９３とを備えている。
【０１０１】
１対のカバー側壁９１は、左右方向に間隔を隔てて対向配置されている。
【０１０２】
カバー側壁９１は、上下方向に延びる略平板形状に形成されている。また、カバー側壁９１には、ドラム軸挿通穴９４が形成されている。
【０１０３】
ドラム軸挿通穴９４は、カバー側壁９１の下端部において、側面視略円形状に貫通形成されている。ドラム軸挿通穴９４の内径は、感光ドラム２０のドラム軸８０の外径と略同径である。両カバー側壁９１のドラム軸挿通穴９４は、左右方向に投影したときに互いに一致している。
【０１０４】
カバー上壁９２は、両カバー側壁９１の上端部間に架設されるように、左右方向に延び、下側が開放される略角筒形状に形成されている（図１参照）。カバー上壁９２の内部には、上記したスコロトロン型帯電器２２が支持されている（図１参照）。
【０１０５】
カバー後壁９３は、カバー上壁９２の後端部から連続して後下方に向かって延び、両カバー側壁９１の後端部間に架設されるように、左右方向に長手の略平板形状に形成されている。カバー後壁９３には、排紙開口１２１が形成されている。
【０１０６】
排紙開口１２１は、カバー後壁９３の上下方向略中央部分において、左右方向に長手の背面視略矩形状に形成されている。排紙開口１２１は、画像形成動作時において、感光ドラム２０と転写ローラ２１との間を通過した用紙Ｓを定着ユニット１７に向かって通過させる（図１参照）。
（２）感光ドラム
ドラムカートリッジ１８は、上記したように、感光ドラム２０および転写ローラ２１を支持している。
【０１０７】
感光ドラム２０は、素管の一例としてのドラム本体８１と、ドラムギア８３と、フリクション部材８２と、ドラム軸８０とを備えている。
【０１０８】
ドラム本体８１は、図４に示すように、金属からなり、左右方向（軸線方向）に延びる略円筒形状に形成され、その周面には、周面を被覆するように樹脂製の感光層８４が形成されている。
【０１０９】
ドラム本体８１の周面に設けられる感光層８４は、ドラム本体８１を、その軸線方向が上下方向に沿うように配置した状態で、感光層用塗布液に浸漬して、ドラム本体８１の周面に感光層用塗布液を塗布した後、乾燥させることにより形成される。
【０１１０】
感光層の塗布工程において、ドラム本体８１の軸線方向が上下方向に沿うように配置されているので、塗布された感光層用塗布液は、重力により下方に向かって移動される。
【０１１１】
そのため、感光層の塗布工程において、上側に配置されたドラム本体８１の端部（以下、軸線方向一方側端部とする。）の周面に形成される感光層８４は、ドラム本体８１の軸線方向中央部分の周面に形成される感光層８４と比較して、相対的に薄く形成される。つまり、ドラム本体８１の軸線方向一方側端部の周面には、感光層８４の厚みが相対的に薄い薄層領域Ｔ６が形成されている。
【０１１２】
一方、感光層の塗布工程において、下側に配置されたドラム本体８１の端部（以下、軸線方向他方側端部とする。）の周面に形成される感光層８４は、ドラム本体８１の軸線方向中央部分の周面に形成される感光層８４と比較して、相対的に厚く形成される。つまり、ドラム本体８１の軸線方向他方側端部の周面には、感光層８４の厚みが相対的に厚い厚層領域Ｔ７が形成されている。
【０１１３】
また、薄層領域Ｔ６とドラム本体８１の軸線方向一方側端縁との間には、感光層の塗布工程において、チャック装置（図示せず）などに保持される保持領域Ｔ４が形成され、厚層領域Ｔ７とドラム本体８１の軸線方向他方側端縁との間には、感光層の塗布工程において余分な感光層用塗布液が拭い取られて形成されるマージン領域Ｔ５が形成されている。なお、保持領域Ｔ４およびマージン領域Ｔ５のそれぞれには、感光層８４が形成されていない。
【０１１４】
その結果、ドラム本体８１の周面には、その軸線方向両端部（軸線方向一方側端部および軸線方向他方側端部）において、画像形成に適しない非画像形成領域が形成される。
【０１１５】
具体的には、ドラム本体８１の周面には、第１端部の一例としての軸線方向一方側端部の周面において、薄層領域Ｔ６および保持領域Ｔ４からなる第１非画像形成領域Ｔ１が形成され、第２端部の一例としての軸線方向他方端部の周面において、厚層領域Ｔ７およびマージン領域Ｔ５からなる第２非画像形成領域Ｔ２が形成され、第１非画像形成領域Ｔ１と第２非画像形成領域Ｔ２との間において、画像形成領域Ｔ３が形成される。
【０１１６】
そして、ドラム本体８１は、第１非画像形成領域Ｔ１が左側に、第２非画像形成領域Ｔ２が右側に位置するように、転写ローラ２１の前側において、ドラム支持部１０１内に配置されている。
【０１１７】
第１非画像形成領域Ｔ１の左右方向長さＤ１は、第２非画像形成領域Ｔ２の左右方向長さＤ２よりも長く形成されている。
【０１１８】
詳しくは、薄層領域Ｔ６の左右方向長さ（薄層領域Ｔ６の左端縁Ｅ１から右端縁Ｅ２までの左右方向長さ）が、厚層領域Ｔ７の左右方向長さ（厚層領域Ｔ７の右端縁Ｅ３から左端縁Ｅ４までの左右方向長さ）よりも長く形成されている。また、保持領域Ｔ４の左右方向長さ（薄層領域Ｔ６の左端縁Ｅ１からドラム本体８１の左端縁までの左右方向長さ）も、マージン領域Ｔ５の左右方向長さ（厚層領域Ｔ７の右端縁Ｅ３からドラム本体８１の右端縁までの左右方向長さ）よりも長く形成されている。
【０１１９】
また、第１非画像形成領域Ｔ１の薄層領域Ｔ６における感光層８４の厚みは、画像形成領域Ｔ３における感光層８４の厚みよりも薄く形成され、第２非画像形成領域Ｔ２の厚層領域Ｔ７における感光層８４の厚みは、画像形成領域Ｔ３における感光層８４の厚みよりも厚く形成されている。
【０１２０】
ドラムギア８３は、図６に示すように、ドラム本体８１の左端部（軸線方向一方側端部）に設けられ、素管嵌合部９６と、ギアの一例としてのギア部９７と、軸支持部９５とを一体的に備えている。
【０１２１】
素管嵌合部９６は、左右方向に延びる略円柱形状に形成され、その外径が、ドラム本体８１の内径と略同径（僅かに小径）に形成されている。
【０１２２】
また、素管嵌合部９６の径方向中央部分には、ドラム軸８０が挿通される挿通穴１０５が形成されている。挿通穴１０５は、側面視略円形状に貫通形成され、その内径が、ドラム軸８０の外径と略同径に形成されている。
【０１２３】
ギア部９７は、素管嵌合部９６と中心軸線が一致するように、素管嵌合部９６の左端面から左方に向かって突出する略円筒形状に形成されている。また、ギア部９７は、その外径が、素管嵌合部９６の外径と略同径に形成され、その外周面には、その全周にわたって、ギア歯が形成されている。
【０１２４】
軸支持部９５は、ギア部９７の内部空間において、素管嵌合部９６と中心軸線が一致するように、挿通穴１０５の周端部から左方に向かって突出する略円筒形状に形成されている。
【０１２５】
軸支持部９５は、その外径が、ギア部９７の内径よりも小径に形成され、その内径が、ドラム軸８０の外径と略同径（僅かに大径）に形成されている。
【０１２６】
また、軸支持部９５は、その左右方向長さが、ギア部９７の左右方向長さよりも僅かに長く形成されている。つまり、軸支持部９５の左端部は、ギア部９７の左端部よりも僅かに突出している。
【０１２７】
そして、ドラムギア８３は、素管嵌合部９６がドラム本体８１の左端部内に相対回転不能に嵌合されることにより、ドラム本体８１に支持されている。
【０１２８】
これにより、ギア部９７は、ドラム本体８１の左端部に対して、左側（左右方向外側）から対向するように設けられている。また、ギア部９７は、図４に示すように、ベースフレーム５２の左側のベース側壁５４の後側部分６０と、転写ローラ支持部７０の左端部との間に配置されている。また、ギア部９７の後下側端部は、図５（ａ）に示すように、ドラムギア露出開口７２を介して、後下側から露出されている。なお、ドラムギア露出開口７２を介して露出されるギア部９７には、プロセスカートリッジ１５が本体ケーシング２に装着された状態において（図１参照）、本体ケーシング２に設けられる駆動ギア１３０が噛合される。
【０１２９】
フリクション部材８２は、図６に示すように、ドラム本体８１の右端部（軸線方向他方側端部）に設けられ、素管嵌合部９８と、接触部材９９と、スプリング１００とを備えている。
【０１３０】
素管嵌合部９８は、左端部が閉鎖された略円筒形状に形成されている。素管嵌合部９８の外径は、ドラム本体８１の内径と略同径（僅かに小径）に形成されている。
【０１３１】
また、素管嵌合部９８の閉鎖部分の径方向中央部分には、ドラム軸８０が挿通される挿通穴１０３が形成されている。
【０１３２】
接触部材９９は、右端部が閉鎖された略円筒形状に形成されている。接触部材９９は、その外径が、素管嵌合部９８の内径と略同径（僅かに小径）に形成されている。
【０１３３】
また、接触部材９９の閉鎖部分の径方向中央部分には、ドラム軸８０が挿通される挿通穴１０４が形成されている。
【０１３４】
そして、接触部材９９は、その内部空間にスプリング１００が収容されるように、素管嵌合部９８に対して右側から嵌合されている。これにより、接触部材９９は、スプリング１００によって、常には、右方に向かって付勢されている。
【０１３５】
そして、フリクション部材８２は、素管嵌合部９８がドラム本体８１の右端部内に相対回転不能に嵌合されることにより、ドラム本体８１に支持されている。
【０１３６】
これにより、接触部材９９は、ベースフレーム５２の右側のベース側壁５４の後側部分６０と、素管嵌合部９８の左端部（閉鎖部分）との間に配置される。そのため、接触部材９９の右端面は、スプリング１００の付勢力により、常には、右側のベース側壁５４の後側部分６０の左面に接触している。
【０１３７】
また、ドラム本体８１は、スプリング１００により、常には、素管嵌合部９８を介して左方に向かって付勢されている。そのため、ドラムギア８３の軸支持部９５の左端部が、常には、左側のベース側壁５４の後側部分６０の右面に接触している。
【０１３８】
ドラム軸８０は、金属からなり、左右方向に延びる略円柱形状に形成されている。また、ドラム軸８０は、１対のベース側壁５４の左右方向の間隔よりも長く形成されている。
【０１３９】
そして、ドラム軸８０は、その左端部が、素管嵌合部９６の挿通穴１０５および軸支持部９５に相対回転可能に挿通され、かつ、その右端部が、素管嵌合部９８の挿通穴１０３および接触部材９９の挿通穴１０４に相対回転可能に挿通されている。これにより、ドラム軸８０は、感光ドラム２０の中心軸線Ａ１に沿うように、ドラム本体８１内に挿通されている。
【０１４０】
また、ドラム軸８０の左右方向端部のそれぞれは、ベースフレーム５２のドラム軸挿通穴５８、および、カバーフレーム５３のドラム軸挿通穴９４に相対回転不能に挿通されている。これにより、ドラム本体８１は、ドラムフレーム５１に対して、中心軸線Ａ１を回転中心として相対回転可能に支持されている。
【０１４１】
そして、感光ドラム２０は、図５（ａ）に示すように、本体ケーシング２に設けられるモータなどの駆動源（図示せず）からの駆動力が、駆動ギア１３０を介して、ドラムギア８３のギア部９７に伝達されると、図１に示すように、ドラムギア８３およびドラム本体８１が、矢印で示す回転方向Ｘ（左側面視時計方向）に一体的に回転駆動される。
【０１４２】
なお、感光ドラム２０は、図６に示すように、回転駆動時において、ドラムギア８３の軸支持部９５の左端部と、左側のベース側壁５４の後側部分６０の右面とが摺擦するとともに、接触部材９９の右端面と、右側のベース側壁５４の後側部分６０の左面とが摺擦することにより、意図しない外力による回転駆動が規制される。
（３）転写ローラ
転写ローラ２１は、図４に示すように、左右方向に延びる金属製の転写ローラ軸８６と、転写ローラ軸８６の左右両端部が露出するように転写ローラ軸８６を被覆するローラ本体８５とを備えている。
【０１４３】
ローラ本体８５は、導電性の軟質樹脂（例えば、ゴムなど）から形成され、その左右方向長さが、ドラム本体８１の画像形成領域Ｔ３の左右方向長さと略同じ長さに形成されている。
【０１４４】
そして、転写ローラ２１は、ローラ本体８５がドラム本体８１の画像形成領域Ｔ３に対して後側から圧接するように、転写ローラ支持部７０内に配置されている。
【０１４５】
また、転写ローラ２１は、転写ローラ軸８６の左右両端部が転写ローラ支持部７０の左右両端部に支持されることにより、その中心軸線を回転中心として回転可能に設けられている。なお、転写ローラ軸８６の左端部は、ドラムギア８３のギア部９７の右端部よりも右側（左右方向内側）に配置されている。
【０１４６】
そして、転写ローラ２１は、図１に示すように、感光ドラム２０が回転駆動されると、ローラ本体８５とドラム本体８１との摩擦により、矢印で示す回転方向（左側面視反時計方向）に従動回転される。
３．現像カートリッジ
現像カートリッジ１９は、図２に示すように、上記した現像フレーム２５と、駆動部材の一例としての駆動ユニット４４と、作用部材および電極部材の一例としての給電ユニット４３とを備えている。
（１）現像フレーム
現像フレーム２５は、左右方向に延びる略ボックス形状に形成され、図１に示すように、その現像室２７において、現像ローラ３４および供給ローラ３３が設けられている。
【０１４７】
現像ローラ３４は、図６に示すように、左右方向に延びる金属製の現像ローラ軸６５と、現像ローラ軸６５の左右両端部が露出するように現像ローラ軸６５を被覆するゴムローラ６６とを備えている。
【０１４８】
ゴムローラ６６は、その左右方向長さが、ドラム本体８１の画像形成領域Ｔ３の左右方向長さよりも長く形成され、かつ、ドラム本体８１の左右方向長さよりも短く形成されている。
【０１４９】
そして、現像ローラ３４は、ゴムローラ６６が感光ドラム２０のドラム本体８１に対して、前下側から対向接触するように（図１参照）、現像フレーム２５の後端部に配置されている。
【０１５０】
また、現像ローラ３４は、現像ローラ軸６５の左右両端部が現像フレーム２５の後端部に支持されることにより、その中心軸線を回転中心として回転可能に設けられている。
【０１５１】
供給ローラ３３は、左右方向に延びる金属製の供給ローラ軸６３と、供給ローラ軸６３の左右両端部が露出するように供給ローラ軸６３を被覆するスポンジローラ６４とを備えている。
【０１５２】
そして、供給ローラ３３は、スポンジローラ６４が現像ローラ３４のゴムローラ６６に対して前下側から対向接触するように（図１参照）、現像ローラ３４の前下側に配置されている。
【０１５３】
また、供給ローラ３３は、供給ローラ軸６３の左右両端部が現像フレーム２５に支持されることにより、その中心軸線を回転中心として回転可能に設けられている。
（２）駆動ユニット
駆動ユニット４４は、図２に示すように、現像フレーム２５の左側に配置されている。
【０１５４】
駆動ユニット４４は、図５（ａ）に示すように、現像カップリング１１８と、ギアカバー１１９とを備えている。
【０１５５】
現像カップリング１１８は、駆動ユニット４４における前後方向略中央部分に配置されている。現像カップリング１１８は、図２に示すように、左右方向に延びる略円柱形状に形成され、現像フレーム２５の左壁の左面に相対回転可能に支持されている。また、現像カップリング１１８の左端面には、結合凹部１１６が形成されている。
【０１５６】
結合凹部１１６は、現像カップリング１１８の左面から右方に向かって凹むように形成され、現像カップリング１１８の径方向に延びる側面視略長穴形状に形成されている。
【０１５７】
なお、現像カップリング１１８の右端部の周面には、ギア歯（図示せず）が形成されている。そして、現像カップリング１１８は、そのギア歯（図示せず）が図示しないギア列と噛合しており、ギア列（図示せず）を介して、供給ローラ３３、現像ローラ３４およびアジテータ２９に駆動伝達可能に接続されている。
【０１５８】
ギアカバー１１９は、右側および後側が開放される略ボックス形状に形成されている。ギアカバー１１９は、現像カップリング１１８およびギア列（図示せず）を収容するように、現像フレーム２５の左壁に固定されている。
【０１５９】
また、ギアカバー１１９には、カップリングカラー１２０が形成されている。
【０１６０】
カップリングカラー１２０は、ギアカバー１１９の左側壁における前後方向略中央部分において、ギアカバー１１９の左側壁から左方に向かって延びる略円筒形状に形成されている。カップリングカラー１２０は、その右端部において、ギアカバー１１９の内側（右側）に連通されている。カップリングカラー１２０内には、結合凹部１１６が露出されるように、現像カップリング１１８の左端部が挿通されている。
【０１６１】
そして、結合凹部１１６には、画像形成動作時において、本体ケーシング２内に設けられる本体カップリング１３１が駆動伝達可能に嵌合される。
【０１６２】
そうすると、本体ケーシング２に設けられるモータなどの駆動源（図示せず、外部の一例）からの駆動力が、本体カップリング１３１、現像カップリング１１８およびギア列（図示せず）を介して、現像ローラ３４、供給ローラ３３およびアジテータ２９に伝達される。
【０１６３】
これにより、現像ローラ３４および供給ローラ３３のそれぞれは、図１に示す矢印方向（左側面視反時計方向）に回転駆動される。
（３）給電ユニット
給電ユニット４３は、図２に示すように、現像フレーム２５の右側に配置されている。
【０１６４】
給電ユニット４３は、図５（ｂ）に示すように、供給電極７６と、絶縁部材７７と、現像電極７８とを備えている。
【０１６５】
供給電極７６は、導電性の樹脂材料から形成されており、給電ユニット４３の前端部に配置されている。また、供給電極７６は、側面視略矩形状に形成され、左右方向に延び、右端部が閉鎖された略角筒形状に形成されている（図２参照）。
【０１６６】
そして、供給電極７６は、図示しない連結部を介して、供給ローラ３３の供給ローラ軸６３に対して電気的に接続されている。
【０１６７】
絶縁部材７７は、絶縁性の樹脂材料から形成されており、供給電極７６の後側に隣接配置されている。また、絶縁部材７７は、前側部分が上下方向に延び、後側部分が前側部分の上端部から連続して後方に向かって延びる側面視略Ｌ字状に形成されている。また、絶縁部材７７は、左右方向に延び、右端部が閉鎖された略角筒形状に形成されている（図２参照）。そして、絶縁部材７７は、現像フレーム２５の右側壁の右面に支持されている。
【０１６８】
現像電極７８は、導電性の樹脂材料から形成されており、絶縁部材７７の前側部分の前側、かつ、絶縁部材７７の後側部分の下側に配置されている。また、現像電極７８は、側面視略矩形状に形成され、左右方向に延び、右端部が閉鎖された略角筒形状に形成されている。
【０１６９】
そして、現像電極７８は、図示しない連結部を介して、現像ローラ３４の現像ローラ軸６５に対して電気的に接続されている。
【０１７０】
なお、供給電極７６、絶縁部材７７および現像電極７８のそれぞれの左右方向長さは、略同じ長さである。
【０１７１】
プロセスカートリッジ１５が本体ケーシング２に装着された状態において、供給電極７６および現像電極７８のそれぞれの右端面は、図５（ｂ）に示すように、本体ケーシング２に設けられる本体電極１３３（外部の部材の一例）に接触（作用）する。そうすると、供給電極７６および現像電極７８のそれぞれが、本体電極１３３と電気的に接続される。
【０１７２】
これにより、画像形成動作時において、供給ローラ３３の供給ローラ軸６３（図６参照）には、本体ケーシング２に設けられる電源（図示せず）から、本体電極１３３および供給電極７６を介して、供給バイアスが印加される。また、現像ローラ３４の現像ローラ軸６５（図６参照）には、本体電極１３３および現像電極７８を介して、現像バイアスが印加される。
４．ドラムカートリッジに対する現像カートリッジの装着状態
現像カートリッジ１９は、図２に示すように、ドラムカートリッジ１８の現像カートリッジ装着部１０２に装着されている。
【０１７３】
現像カートリッジ装着部１０２に装着された状態において、現像ローラ３４のゴムローラ６６における左右方向中央部分Ｐ２は、図４に示すように、ドラム本体８１の画像形成領域Ｔ３における左右方向中央部分Ｐ１と、前後方向に沿って並ぶように、画像形成領域Ｔ３における左右方向中央部分Ｐ１の前側に配置されている。
【０１７４】
また、現像カートリッジ１９の駆動ユニット４４は、ドラム本体８１の左端部（第１非画像形成領域Ｔ１における左側部分）およびドラムギア８３のギア部９７に対して、前側から対向するように配置されている。
【０１７５】
また、現像カートリッジ１９の給電ユニット４３は、ドラム本体８１の右端部に対して、右前側に配置されており、その右端部が、ベース側壁５４の前側部分６１の右面よりも、僅かに右側（左右方向外側）に配置されている。
【０１７６】
つまり、給電ユニット４３は、ドラム本体８１の右端面よりも、右方に向かって突出しており、ドラム本体８１の右端面よりも右側に配置される部分が、突出部分１３２として区画されている。
【０１７７】
突出部分１３２の左右方向長さＤ５は、ドラムギア８３のギア部９７の左右方向長さＤ４よりも長く形成されている。
【０１７８】
そして、ギア部９７および第１非画像形成領域Ｔ１の左右方向の長さの総和（Ｄ４およびＤ１の総和）は、突出部分１３２および第２非画像形成領域Ｔ２の左右方向の長さの総和（Ｄ５およびＤ２の総和）と略同じ長さである。
５．作用効果
（１）プロセスカートリッジ１５では、図４に示すように、感光ドラム２０のドラム本体８１の左端部（第１端部の一例）にドラムギア８３が設けられており、ドラムギア８３のギア部９７が、ドラム本体８１の左端部に対して、左側（左右方向外側）から隣接するように設けられている。
【０１７９】
また、現像カートリッジ１９の給電ユニット４３が、感光ドラム２０のドラム本体８１の右端面（第２端部の一例）よりも右方（軸線方向外側）に向かって突出するように設けられており、給電ユニット４３におけるドラム本体８１の右端面よりも突出する部分が、突出部分１３２として形成されている。
【０１８０】
すなわち、ドラムギア８３のギア部９７がドラム本体８１の左端部に設けられ、給電ユニット４３の突出部分１３２がドラム本体８１の右端部よりも右側に配置されるので、ドラム本体８１の左端部に対して左側（軸線方向外側）に、ギア部９７を設けるためのスペースが確保され、ドラム本体８１の右端部の右側（軸線方向外側）に、突出部分１３２を配置するためのスペースが確保されている。
【０１８１】
そのため、感光ドラム２０のドラム本体８１の左右方向両端部のそれぞれに対して、左右方向外側にスペースが確保され、ドラム本体８１に対して左右方向いずれか一方側にのみスペースが確保される場合と比較して、ドラム本体８１の効率的な配置を確保できる。
【０１８２】
また、感光ドラム２０の左端部（軸線方向一方側）において、第２非画像形成領域Ｔ２と比較して左右方向長さが長い第１非画像形成領域Ｔ１と、突出部分１３２と比較して左右方向長さが短いギア部９７とが配置されている。
【０１８３】
また、感光ドラム２０の右端部（軸線方向他方側）において、第１非画像形成領域Ｔ１と比較して左右方向長さが短い第２非画像形成領域Ｔ２と、ギア部９７と比較して左右方向長さが長い突出部分１３２とが配置されている。
【０１８４】
つまり、プロセスカートリッジ１５における左側部分において、第１非画像形成領域Ｔ１およびギア部９７を配置するためのスペースが確保され、プロセスカートリッジ１５における右側部分において、第２非画像形成領域Ｔ２および突出部分１３２を配置するためのスペースが確保されている。
【０１８５】
その結果、プロセスカートリッジ１５の左右両側のそれぞれにおいて、スペースがバランスよく確保され、第１非画像形成領域Ｔ１と第２非画像形成領域Ｔ２との間に形成される画像形成領域Ｔ３の効率的な配置を確保できる。
【０１８６】
従って、プロセスカートリッジ１５によれば、プロセスカートリッジ１５が大型化することを抑制できながら、感光ドラム２０のドラム本体８１、とりわけ、画像形成領域Ｔ３の効率的な配置を確保することができる。
（２）また、第１非画像形成領域Ｔ１の薄層領域Ｔ６における感光層８４の厚みが、図４に示すように、画像形成領域Ｔ３における感光層８４の厚みよりも薄く形成され、第２非画像形成領域Ｔ２の厚層領域Ｔ７における感光層８４の厚みが、画像形成領域Ｔ３における感光層８４の厚みよりも厚く形成されている。
【０１８７】
そのため、薄層領域Ｔ６および厚層領域Ｔ７のそれぞれの感光層８４の厚みにより、ドラム本体８１の左右方向端部の周面に形成される非画像形成領域が、第１非画像形成領域Ｔ１または第２非画像形成領域Ｔ２のいずれに該当するか容易に判別できる。
【０１８８】
つまり、ドラム本体８１の軸線方向両端部のそれぞれを、プロセスカートリッジ１５において左右方向のいずれに配置すればよいか容易に判別できる。
【０１８９】
その結果、プロセスカートリッジ１５の組み立て作業の円滑化を図ることができる。
（３）また、プロセスカートリッジ１５は、図２に示すように、感光ドラム２０を備えるドラムカートリッジ１８と、トナーを収容可能、かつ、ドラムカートリッジ１８の現像カートリッジ装着部１０２に離脱可能に装着される現像カートリッジ１９とを備えている。
【０１９０】
現像カートリッジ１９は、現像ローラ３４と（図１参照）、駆動ユニット４４と、給電ユニット４３とを備えている。現像ローラ３４は、図１に示すように、ドラム本体８１に対して、前下側（ドラム本体８１の径方向外側）から対向接触し、画像形成領域Ｔ３にトナーを供給する。
【０１９１】
そのため、例えば、感光ドラム２０が寿命を迎えた場合には、ドラムカートリッジ１８のみを交換でき、現像剤の残量が所定値よりも少なくなった場合には、現像カートリッジ１９のみを交換できる。
【０１９２】
その結果、１つのプロセスカートリッジ１５に、トナーが収容されるとともに、感光ドラム２０が備えられている場合と比較して、ランニングコストの低減を図ることができる。
【０１９３】
また、駆動ユニット４４は、本体ケーシング２にモータなどの駆動源（図示せず）からの駆動力を、現像ローラ３４に伝達するように構成されている（図２参照）。また、給電ユニット４３は、現像ローラ３４の現像ローラ軸６５（図６参照）に対して電気的に接続されるように構成されている。
【０１９４】
そのため、画像形成動作時においては、駆動ユニット４４を介して現像ローラ３４に駆動力を伝達することができ、かつ、給電ユニット４３を介して現像ローラ３４にバイアスを印加することができる。
【０１９５】
また、駆動ユニット４４は、図４に示すように、現像カートリッジ１９が現像カートリッジ装着部１０２に装着された状態において、ドラム本体８１の左端部（第１非画像形成領域Ｔ１の左側部分）およびギア部９７のそれぞれに対して、前側（ドラム本体８１の径方向外側）から対向するように配置されている。
【０１９６】
そのため、第１非画像形成領域Ｔ１およびギア部９７を配置するためのスペースに駆動ユニット４４を配置でき、そのスペースを有効に利用することができる。
【０１９７】
その結果、現像ローラ３４が、画像形成動作時において、画像形成領域Ｔ３にトナーを確実に供給することができながら、プロセスカートリッジ１５が大型化することを抑制できる。
【０１９８】
従って、ランニングコストの低減を図ることができ、かつ、画像形成領域Ｔ３にトナーを確実に供給することができながら、プロセスカートリッジ１５の大型化を抑制できる。
（４）また、図４に示すように、現像カートリッジ１９がドラムカートリッジ１８の現像カートリッジ装着部１０２に装着された状態において、画像形成領域Ｔ３の左右方向中央部分Ｐ１（ドラム本体８１の軸線方向中央部分）と、現像ローラ３４のゴムローラ６６の左右方向中央部分Ｐ２（ドラム本体８１の軸線方向中央部分）とが、前後方向（ドラム本体８１の径方向）に沿って並ぶように配置されている。
【０１９９】
そのため、現像ローラ３４（ゴムローラ６６）の効率的な配置を確保することができながら、画像形成領域Ｔ３にトナーをより一層確実に供給できる。
６．変形例
上記したプロセスカートリッジ１５は、本発明の一実施形態であり、本発明は上記した実施形態に限定されない。
【０２００】
プロセスカートリッジ１５が装着される画像形成装置の一例としてのプリンタ１は、上記したモノクロプリンタの他、カラープリンタとして構成することもできる。
【０２０１】
画像形成装置をカラープリンタとして構成する場合には、複数の感光ドラムと記録媒体搬送部材とを備えるダイレクト方式のタンデム型カラープリンタや、複数の感光ドラムと、中間転写体と、転写部材とを備える中間転写方式のタンデム型カラープリンタとして構成することができる。
【０２０２】
また、プロセスカートリッジ１５は、上記したようなドラムカートリッジ１８と現像カートリッジ１９とが分離する分離型の他、ドラムカートリッジ１８と現像カートリッジ１９とを一体的に備える一体型として構成することもできる。
【０２０３】
さらに、現像カートリッジ１９は、現像ローラ３４を有する筐体に対し、トナーが収容されるトナーカートリッジが着脱自在に装着されるように構成することもできる。
【０２０４】
また、上記した現像ローラ３４に代えて、例えば、現像スリーブ、現像ベルト、ブラシ状のローラなどの現像剤担持体を適用することもできる。
【０２０５】
また、上記した供給ローラ３３に代えて、例えば、供給スリーブ、供給ベルト、ブラシ状のローラなどの供給部材を適用することもできる。
【０２０６】
また、上記したアジテータ２９に代えて、例えば、オーガスクリューや搬送ベルトなどの搬送部材を適用することもできる。
【０２０７】
また、上記した転写ローラ２１に代えて、例えば、転写ベルト、転写ブラシ、転写ブレード、フィルム型転写装置などの接触型の転写部材や、例えば、コロトロンタイプなどの非接触型の転写部材などを適用することもできる。
【０２０８】
また、上記したスコロトロン型帯電器２２に代えて、例えば、コロトロン型帯電器、鋸歯状の放電部材などの非接触型の帯電器や、帯電ローラなどの接触型の帯電器などを適用することもできる。
【０２０９】
また、上記したスキャナユニット１６に代えて、ＬＥＤユニットなどの露光部材を適用することもできる。
【０２１０】
また、上記した給電ユニット４３は、作用部材の一例であるが、作用部材には、給電ユニット４３の他、押圧ボス、軸受部材、トナー充填口、トナー充填口の蓋部材、トナー残量を検知するための窓なども含まれる。
【０２１１】
さらに、画像形成装置は、画像読取部などを装備して、複合機として構成することもできる。
【０２１２】
これらによっても、上記した実施形態と同様の作用効果を奏することができる。
【０２１３】
なお、上記した実施形態および変形例は、適宜組み合わせることができる。
【符号の説明】
【０２１４】
１５      プロセスカートリッジ
１８      ドラムカートリッジ
１９      現像カートリッジ
２０      感光ドラム
３４      現像ローラ
４３      給電ユニット
４４      駆動ユニット
８１      ドラム本体
８４      感光層
９７      ギア部
１３２    突出部分
１３３    本体電極
Ａ１      中心軸線Ａ１
Ｔ１      第１非画像形成領域       
Ｔ２      第２非画像形成領域
Ｔ３      画像形成領域
Ｐ１      画像形成領域の左右方向中央部分  
Ｐ２      ゴムローラの左右方向中央部分    
【図１】
2014016487.tif 000003
【図２】
2014016487.tif 000004
【図３】
2014016487.tif 000005
【図４】
2014016487.tif 000006
【図５】
2014016487.tif 000007
【図６】
2014016487.tif 000008